(57)【要約】【課題】  入射光の光路を折り曲げる光学系を備えた撮像装置において、撮像装置をさらに薄型化する。【解決手段】  撮像素子と、光束を折り曲げて前記撮像素子に光学像を結像させる鏡筒ユニットと、前記撮像素子から出力される被写体画像を表示する表示ユニットと、前記表示ユニットを保持するシャーシ部材を有する撮像装置であって、前記鏡筒ユニットには移動するレンズ保持部材が露出する開口が形成され、前記シャーシ部材が前記鏡筒ユニットに固定されることで、前記開口を覆うとともに、前記シャーシ部材の前記開口を覆う領域には、前記レンズ保持部材が移動する際に前記レンズ保持部材と摺動する摺動部が形成され、前記シャーシ部材の前記開口を覆う領域のうち前記摺動部以外の領域には反射防止処理を行い、前記摺動部には反射防止処理を行わない。【選択図】  図１０
2012037543.tif 000002
【特許請求の範囲】
【請求項１】
撮像素子と、
光束を折り曲げて前記撮像素子に光学像を結像させる鏡筒ユニットと、
前記撮像素子から出力される被写体画像を表示する表示ユニットと、
前記表示ユニットを保持するシャーシ部材を有する撮像装置であって、
前記鏡筒ユニットには移動するレンズ保持部材が露出する開口が形成され、
前記シャーシ部材が前記鏡筒ユニットに固定されることで、前記開口を覆うとともに、前記シャーシ部材の前記開口を覆う領域には、前記レンズ保持部材が移動する際に前記レンズ保持部材と摺動する摺動部が形成され、
前記シャーシ部材の前記開口を覆う領域のうち前記摺動部以外の領域には反射防止処理を行い、前記摺動部には反射防止処理を行わないことを特徴とする撮像装置。
【請求項２】
前記摺動部は前記表示ユニットの保持面から前記鏡筒ユニットに向けて突出形成されていることを特徴とする請求項１に記載の撮像装置。
【請求項３】
前記摺動部の周囲に前記摺動部よりも突出した遮光壁を形成することを特徴とする請求項１または２に記載の撮像装置。
【発明の詳細な説明】
【技術分野】
【０００１】
本発明は、デジタルカメラなどの撮像装置に関し、特に入射光の光路を折り曲げる光学系を備えた撮像装置に関するものである。
【背景技術】
【０００２】
近年のデジタルカメラ等の撮像装置は、高倍率な光学性能が求められる一方で小型であることが求められている。この中で、入射光の光路を折り曲げる光学系を用いることで、撮像装置を大型化することなく高倍率な光学性能を得ることが知られている。（特許文献１参照）
【先行技術文献】
【特許文献】
【０００３】
【特許文献１】特開２００７−１０８３３７号公報
【発明の概要】
【発明が解決しようとする課題】
【０００４】
しかしながら、特許文献１に開示されている撮像装置では、メインフレームに固定したレンズ装置をフロントケースおよびリアケースで覆う構造となっているため、撮像装置をさらに薄型化することが困難であった。
【０００５】
本発明の目的は、入射光の光路を折り曲げる光学系を備えた撮像装置において、撮像装置をさらに薄型化することにある。
【課題を解決するための手段】
【０００６】
本発明の撮像装置は、撮像素子と、光束を折り曲げて前記撮像素子に光学像を結像させる鏡筒ユニットと、前記撮像素子から出力される被写体画像を表示する表示ユニットと、前記表示ユニットを保持するシャーシ部材を有する撮像装置であって、前記鏡筒ユニットには移動するレンズ保持部材が露出する開口が形成され、前記シャーシ部材が前記鏡筒ユニットに固定されることで、前記開口を覆うとともに、前記シャーシ部材の前記開口を覆う領域には、前記レンズ保持部材が移動する際に前記レンズ保持部材と摺動する摺動部が形成され、前記シャーシ部材の前記開口を覆う領域のうち前記摺動部以外の領域には反射防止処理を行い、前記摺動部には反射防止処理を行わないことを特徴とする。
【発明の効果】
【０００７】
本発明によれば、シャーシ部材を鏡筒ユニットの一部として機能させることができ、従来の撮像装置と比較して、少なくとも鏡筒ユニットの壁１枚分は撮像装置を薄型化することができる。
【図面の簡単な説明】
【０００８】
【図１】本実施形態に係る撮像装置の外装部材を取り外した状態での斜視図。
【図２】本実施形態に係る撮像装置の外装部材を取り外した状態での斜視図。
【図３】第２のレンズ保持部材の構成を示す展開斜視図。
【図４】撮像装置が沈胴状態となるときの鏡筒ユニットの状態を示す断面図。
【図５】撮像装置が広角端での撮影状態となるときの鏡筒ユニットの状態を示す断面図。
【図６】撮像装置が望遠端での撮影状態となるときの鏡筒ユニットの状態を示す断面図。
【図７】撮像装置が沈胴状態となるときの鏡筒ユニットを背面側から見た図。
【図８】撮像装置が広角端での撮影状態となるときの鏡筒ユニットを背面側から見た図。
【図９】撮像装置が望遠端での撮影状態となるときの鏡筒ユニットを背面側から見た図。
【図１０】鏡筒ユニットとシャーシ部材と表示ユニットとの配置関係を示す分解展開図。
【図１１】撮像装置の図１におけるＡ−Ａ断面図。
【図１２】シャーシ部材の形状を説明する斜視図。
【発明を実施するための形態】
【０００９】
以下に、本発明の好ましい実施の形態を、添付の図面に基づいて詳細に説明する。図１、図２は、本発明の実施形態に係る撮像装置の外装部材を取り外した状態を示す斜視図である。
【００１０】
図１に示すように、撮像装置１は鏡筒ユニット１２を備える。鏡筒ユニット１２は、光軸ＡＸ１方向にレンズを移動させる第１の鏡筒部２１と、光軸ＡＸ２方向にレンズを移動させる第２の鏡筒部３１を有する。
【００１１】
図２に示すように、撮像装置１の背面側には、撮像素子４から出力される被写体画像を表示する表示ユニット１０を備える。
【００１２】
鏡筒ユニット１２に含まれる第２の鏡筒部３１の構成を図３を用いて説明する。第２の鏡筒部３１は、第１の鏡筒部２１から射出した光束を反射させて第２の鏡筒部３１に入射させる反射光学部材１１を有する。したがって、反射光学部材１１は撮影光軸をＡＸ１方向からＡＸ２方向に折り曲げる。鏡筒ユニット１２には、２本のガイドシャフト１３ａ、１３ｂが光軸ＡＸ２と平行となるように設けられ、反射光学部材１１の光軸ＡＸ２方向の移動をガイドする。
【００１３】
反射光学部材１１には不図示のラックが設けられており、モーター３１０の回転を直線運動に変換することで光軸ＡＸ２方向に直進移動する。
【００１４】
第２の鏡筒部３１は、レンズ保持部材としてのレンズ枠３１１、レンズ枠３１４、レンズ枠３１６を備える。２本のガイドシャフト１３ａ、１３ｂは、レンズ枠３１１、３１４、３１６の光軸ＡＸ２方向の移動をガイドする。
【００１５】
レンズ枠３１１は光量調整手段とブレ補正手段とを備えている。モーター３１２の駆動はリードスクリュー３１３を介してレンズ枠３１１に伝達され、レンズ枠３１１は、２本のガイドシャフト１３ａ、１３ｂにガイドされて光軸ＡＸ２方向に移動する。
【００１６】
レンズ枠３１４は、引張コイルバネ３１５によってレンズ枠３１１方向へ常時付勢され、かつ２本のガイドシャフト１３ａ、１３ｂにガイドされてレンズ枠３１１の直線移動に追従する。
【００１７】
レンズ枠３１６は、モーター３１７の駆動はリードスクリュー３１８を介してレンズ枠３１６に伝達され、２本のガイドシャフト１３ａ、１３ｂにガイドされることで、光軸ＡＸ２方向にレンズ枠３１６を移動する。
【００１８】
鏡筒ユニット１２には、撮像素子４が固定され、レンズ枠３１６に保持されるレンズを射出した光束が撮像素子４の受光面で結像する。撮像素子４はＣＣＤやＣＭＯＳなどの撮像センサーであり、受光面に結像した光学像に基いて電気的な信号を生成し出力する。
【００１９】
図４〜図６は、撮像装置１が沈胴状態、広角端での撮影状態、望遠端での撮影状態となるときの図１のＢ−Ｂ断面図である。
【００２０】
図４は、撮像装置１が沈胴状態となるときの図１のＢ−Ｂ断面図である。図５は撮像装置１が広角端での撮影状態となるときの図１のＢ−Ｂ断面図である。図６は撮像装置１が望遠端での撮影状態となるときの図１のＢ−Ｂ断面図である。
【００２１】
撮像装置の電源投入後、図４に示す沈胴状態から図５、図６に示す撮影状態に移行すると、第１の鏡筒部２１は光軸ＡＸ１に沿って繰り出される。そして、第１の鏡筒部２１が被写体側へ繰り出されることで、第１の鏡筒部２１とシャーシ部材９との間に空間が発生する。この空間に光軸ＡＸ１に沿った鏡筒ユニット１２に入射した光束を光軸ＡＸ２方向へ折り曲げるための反射光学系１１が光軸ＡＸ２方向に沿って第１の鏡筒部２１の背面へ移動する。その後、第２の鏡筒部３１は第２の光軸ＡＸ２に沿って移動することで撮影状態へ移行する。
【００２２】
図７〜図９は、撮像装置１が沈胴状態、広角端での撮影状態、望遠端での撮影状態となるときの鏡筒ユニット１２を背面から見た図である。
【００２３】
図７は、撮像装置１が沈胴状態となるときの鏡筒ユニット１２を背面から見た図である。図７に示す状態と図４に示す状態は同じ状態である。
【００２４】
図８は撮像装置１が広角端での撮影状態となるときの鏡筒ユニット１２を背面から見た図である。図８４に示す状態と図５に示す状態は同じ状態である。
【００２５】
図９は撮像装置１が望遠端での撮影状態となるときの鏡筒ユニット１２を背面から見た図である。図９に示す状態と図６に示す状態は同じ状態である。
【００２６】
図７〜図９に示すように、鏡筒ユニット１２の背面側は開口１２ａが形成され、開口１２ａから移動する反射光学部材１１およびレンズ枠３１１、３１４、３１６が露出している。
【００２７】
また、レンズ枠３１１には、摺動ピン３２が設けられており、摺動ピン３２は、圧縮コイルバネ３３によって背面方向に付勢されている。摺動ピン３２の作用については後述する。
【００２８】
図１０は、鏡筒ユニット１２の背面側がシャーシ部材９に固定され、シャーシ部材９に表示ユニット１０を保持させる様子を示す斜視図である。鏡筒ユニット１２をシャーシ部材９に固定することで、鏡筒ユニット１２の開口１２ａはシャーシ部材９によって覆われ、鏡筒ユニット１２内は遮光された空間となる。また、シャーシ部材９の開口１２ａを覆う領域は黒色塗装などの反射防止処理が行われるので、シャーシ部材９の開口１２ａを覆う領域は鏡筒ユニット１２の壁として機能する。
【００２９】
図１１は図１におけるＡ−Ａ断面図である。鏡筒ユニット１２の背面側がシャーシ部材９に固定されることで、レンズ枠３１１に設けた摺動ピン３２は圧縮コイルバネ３３によって、シャーシ部材９に付勢される。図１１は、摺動ピン３２がシャーシ部材９に付勢されている様子を示している。摺動ピン３２がシャーシ部材９を付勢することで、レンズ枠３１１とガイドシャフト１３ａ、１３ｂとのクリアランス分のガタ寄せを行うことができる。これによって、レンズ枠３１１の位置精度を高め、撮影画質の劣化を防ぐことが可能となる。さらに、摺動ピン３２がシャーシ部材９を付勢することで、ガイドシャフト１３ａ、１３ｂとの嵌合クリアランスによって第２のレンズ保持部材３１の傾きを防ぐことが可能となる。これによって、レンズ枠３１１の駆動負荷を一定にすることができる。
【００３０】
レンズ枠３１１は光軸ＡＸ２方向に移動するので、摺動ピン３２は、レンズ枠３１１の移動に伴ってシャーシ部材９の表面上を摺動する。そのため、シャーシ部材９には摺動ピン３２が摺動する領域となる摺動部９１が形成される。本実施形態では、シャーシ部材９を薄板の金属材料で形成し、薄板の金属材料に対して半抜き加工もしくは絞り加工によって寸法精度を満足した摺動部９１を形成している。なお、図１１に図示するように、摺動部９１は表示ユニット１０の保持面から鏡筒ユニット１２の方向に突出形成されている。
【００３１】
前述したように、シャーシ部材９の開口１２ａを覆う領域は黒色塗装などの反射防止処理が行われているが、摺動部９１と摺動ピン３２は常に摺接されているため、塗装の剥がれが発生する可能性がある。剥がれた塗装片は鏡筒ユニット１２の機構部分に入り込むと動作の不具合が発生するおそれがある。同様に塗装片がレンズの表面や撮像素子４の受光面に付着すると撮影画質の劣化を招いてしまう。このような塗装の剥がれによる不具合を防ぐため、本実施形態では、摺動部９１にマスキング処理を行った後、シャーシ部材９は反射防止のための黒色塗装を行っている。したがって、シャーシ部材の開口を覆う領域のうち摺動部以外の領域には、黒色塗装などの反射防止処理が行い、摺動部には黒色塗装などの反射防止処理が行わない。
【００３２】
一方、シャーシ部材９の摺動部９１は黒色塗装などの反射防止処理が行なわれていないため、摺動部９１で光線反射が生じる可能性がある。これを防ぐため、摺動部９１は撮影光路から離れた部分に形成されている。さらに、図１０〜図１２に示すようにシャーシ部材９に設けた摺動部９１の周囲に遮光壁９２を設けることで、摺動部９１に反射防止塗装を行わない場合であっても鏡筒ユニット１２内部での光線反射を防ぐことが可能となる。さらに、遮光壁９２を光軸ＡＸ２方向に突出して設けることで、摺動部９１の強度を向上させることが可能となる。
【００３３】
以上のように本実施の形態に係る撮像装置によれば、シャーシ部材９の一部を鏡筒ユニット１２の壁として機能させることで、撮像装置の厚み方向の寸法を小さく、すなわち撮像装置を薄型化することが可能になる。また、シャーシ部材９の鏡筒ユニット１２の壁として機能させる場合であっても、レンズ枠が摺動する部分には反射防止処理を行わないことで、鏡筒内に異物が発生することを防止することができる。さらに、摺動部の周囲に壁部を形成することで、摺動部での反射防止と強度向上という作用効果を得ることができる。
【００３４】
以上、本発明の好ましい実施形態について説明したが、本発明はこれらの実施形態に限定されず、その要旨の範囲内で種々の変形及び変更が可能である。
【符号の説明】
【００３５】
４  撮像素子
９  シャーシ部材
１０  表示ユニット
１１  反射光学部材
１２  鏡筒ユニット
１３ａ、１３ｂ  ガイドシャフト
２１  第１の鏡筒部
３１  第２の鏡筒部
３２  摺動ピン
９１  摺動部
９２  遮光壁
３１１、３１４、３１６  レンズ保持枠
【図１】
2012037543.tif 000003
【図２】
2012037543.tif 000004
【図３】
2012037543.tif 000005
【図４】
2012037543.tif 000006
【図５】
2012037543.tif 000007
【図６】
2012037543.tif 000008
【図７】
2012037543.tif 000009
【図８】
2012037543.tif 000010
【図９】
2012037543.tif 000011
【図１０】
2012037543.tif 000012
【図１１】
2012037543.tif 000013
【図１２】
2012037543.tif 000014